(57)【要約】【課題】視聴者にとって使い勝手の良い電子番組表を表示させる制御を行う映像表示制御装置を提供することを目的とする。【解決手段】受信されたテレビ放送信号から、番組情報を取得する。そして、取得された番組情報に基づいて、時間軸とチャンネル軸とで構成される電子番組表を生成する。その際に、所定の時間範囲を視聴可能時間として設定し、生成された電子番組表のうち、視聴可能事案として設定された時間を表示範囲とする電子番組表を表示する。【選択図】図１
2008017173.tif 000002
【特許請求の範囲】
【請求項１】
テレビ放送信号を受信して、当該テレビ放送信号の映像データを表示する制御を行う映像表示制御装置において、
前記テレビ放送信号から、番組情報を取得する番組情報取得手段と、
前記番組情報取得手段により取得された番組情報に基づいて、時間軸とチャンネル軸とで構成される電子番組表を生成する電子番組表生成手段と、
所定の時間範囲を設定する時間範囲設定手段と、
前記電子番組表生成手段により生成された電子番組表のうち、前記時間範囲設定手段により設定された時間範囲を表示範囲として表示する電子番組表表示手段と、
を備えたことを特徴とする映像表示制御装置。
【請求項２】
前記時間範囲設定手段により設定される時間範囲は、複数設定可能であることを特徴とする請求項１に記載の映像表示制御装置。
【発明の詳細な説明】
【技術分野】
【０００１】
本発明は、テレビ放送信号を受信して、当該テレビ放送信号の映像データを表示する制御を行う映像表示制御装置に関する。
【背景技術】
【０００２】
現在、テレビ放送において映像や音声とともに番組関連情報を送信することにより、テレビ受信装置で電子番組表（ＥＰＧ）を表示することができる映像表示制御装置が知られている（例えば、特許文献１参照）。
【０００３】
また、映像表示制御装置により表示された電子番組表を利用することにより、視聴者は、所望する番組の視聴予約又は録画予約を簡単に行うことができることが知られている。
【特許文献１】特開平９−２１４８５０号公報
【発明の開示】
【発明が解決しようとする課題】
【０００４】
ここで、映像表示制御装置において、表示される電子番組表は、通常０時から２４時までの一日分のデータを含んでいるのが一般的である。しかし、表示される画面の大きさの制約上、総ての番組に関する番組情報を表示することができず、電子番組表は複数の時間帯に分けて表示されることとなり、視聴者は表示された電子番組表をスクロールして切り替え表示し、所望する時間帯の電子番組表を表示させていた。
【０００５】
しかし、視聴者が表示を希望する時間帯はほぼ同じである。例えば、視聴者が学生の場合、昼間は通学のため自宅には不在である。したがって、番組を視聴する時間帯は、学校に登校する前の早朝と、帰宅後の夜間であり、電子番組表もその時間を中心に利用することが一般的である。しかし、従来の電子番組表は、昼間の時間帯の番組も表示されるため、視聴者が電子番組表を表示させる際、何度も番組表の切り替え作業などを行う必要があり、煩雑であった。
【０００６】
上述した課題に鑑み、本発明が目的とするところは、視聴者にとって使い勝手の良い電子番組表を表示させる制御を行う映像表示制御装置を提供することを目的とする。
【課題を解決するための手段】
【０００７】
上記課題を解決するために、第１の発明の映像表示制御装置は、テレビ放送信号を受信して、当該テレビ放送信号の映像データを表示する制御を行う映像表示制御装置において、前記テレビ放送信号から、番組情報を取得する番組情報取得手段と、前記番組情報取得手段により取得された番組情報に基づいて、時間軸とチャンネル軸とで構成される電子番組表を生成する電子番組表生成手段と、所定の時間範囲を設定する時間範囲設定手段と、前記電子番組表生成手段により生成された電子番組表のうち、前記時間範囲設定手段により設定された時間範囲を表示範囲として表示する電子番組表表示手段と、を備えたことを特徴とする。
【０００８】
また、第２の発明の映像表示制御装置は、前記時間範囲設定手段により設定される時間範囲は、複数設定可能であることを特徴とする。
【発明の効果】
【０００９】
本発明によれば、電子番組表を表示させる際に、設定された所定の時間範囲を表示範囲として、電子番組表が表示されることとなる。したがって、視聴者が所望する時間範囲が視聴可能時間として設定されている。そして、電子番組表を表示させる際に、すべての番組情報が表示されることなく、視聴可能時間の番組情報を中心に表示されることとなり、視聴者の使い勝手の良い電子番組表が提供されることとなる。
【発明を実施するための最良の形態】
【００１０】
以下、図面を参照して本発明を実施するための最良の形態について説明する。なお、本実施形態では、映像表示制御装置をデジタルテレビに適用した場合を例にして説明するが、映像表示制御装置が適用できる範囲は、デジタルテレビに限定されるものではない。
【００１１】
［構成］
図１は、デジタルテレビ１の構成を説明する為の図である。図１に示すように、デジタルテレビ１には、チューナ部１０と、デコーダ部２０と、制御部３０と、ＥＰＧ処理部４０と、記憶部５０と、映像信号処理部６０と、音声信号処理部７０と、入力部８０とを備えており、アンテナＡＮＴが接続されている。
【００１２】
チューナ部１０は、アンテナＡＮＴから受信された受信信号から、各チューナに設定されているチャンネルに対応する周波数の受信信号を選局（抽出）し、各信号が多重化されたトランスポートストリーム（ＴＳ：Ｔｒａｎｓｐｏｒｔ  Ｓｔｒｅａｍ）信号を抽出する。具体的には、受信信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で復調し、ビダビ復号等を用いて誤り訂正を行いＴＳ信号を抽出する。そして、抽出されたＴＳ信号をデコーダ部２０に出力する。
【００１３】
デコーダ部２０は、チューナ部１０から入力されたＴＳ信号から、映像や音声等のＥＳ（Ｅｌｅｍｅｎｔａｒｙ  Ｓｔｒｅａｍ）に分離し、出力する。ここで、分離された映像のＥＳは映像信号処理部６０に、音声のＥＳは音声信号処理部７０へ出力される。また、デコーダ部２０はＴＳ信号に含まれるデータ放送のストリームも抽出し、制御部３０に出力する。
【００１４】
制御部３０は、デジタルテレビ１の各動作部及び制御を行う処理装置である。デジタルテレビ１に記憶されている各種プログラムを読み出し、実行することにより各処理を実行する。また、デコーダ部２０から入力されたデータ放送のストリームの中から、各番組に関する番組情報を抽出し、ＥＰＧ処理部４０に出力する。
【００１５】
ＥＰＧ処理部４０は、制御部３０から入力された番組情報に基づいて、電子番組表（ＥＰＧ）を生成する処理を実行する処理部である。受信された各番組データから、電子番組表が生成され、映像信号処理部６０を介して表示装置（不図示）に出力される。また、生成した電子番組表は記憶部５０にＥＰＧ情報５０６として記憶される。
【００１６】
記憶部５０は、デジタルテレビ１が動作する際に必要となる各種プログラムや、データ等が記憶されている機能部であり、例えば、ＤＲＡＭやフラッシュメモリ、ハードディスク等から構成されている。記憶部５０には、視聴可能時間設定プログラム５０２と、番組表表示プログラム５０４と、ＥＰＧ情報５０６と、視聴可能時間設定テーブル５０８とが記憶されている。
【００１７】
視聴可能時間設定プログラム５０２は、制御部３０が読み出して実行することにより、視聴可能時間設定処理が実現される（図３参照）。また、番組表表示プログラム５０４は、制御部３０が読み出して実行することにより、番組表表示処理が実現される（図４参照）。
【００１８】
ＥＰＧ情報５０６は、制御部３０より出力された番組情報に基づいてＥＰＧ処理部４０において生成された電子番組表（ＥＰＧ）が記憶されている。また、視聴可能時間設定テーブル５０８は、視聴可能時間設定プログラム５０２により設定された視聴可能時間が記憶されているテーブルである。ここで、視聴可能時間は、一つとは限らず、複数設定されていても良い。
【００１９】
映像信号処理部６０は、デコーダ部２０から入力された映像のＥＳから映像信号を復号し、出力する処理部である。出力された映像信号は、接続される表示装置（不図示）に出力される。ここで、表示装置の一例としては、液晶表示装置や、ＣＲＴ等により構成されている。
【００２０】
音声信号処理部７０は、デコーダ部２０から入力された音声のＥＳから音声信号を復号し、出力する処理部である。出力された音声信号は、接続される音声出力装置に出力される。ここで、音声出力装置の一例としては、スピーカや、ヘッドフォンにより構成されている。
【００２１】
入力部８０は、外部から入力された信号を制御部３０に出力することにより、デジタルテレビ１を制御するための機能部である。入力部８０の一例として、図２に赤外線を利用したリモコン８００を示す。リモコン８００には、電源ボタンや、音量ボタンの他に、選局ボタン８０２と、番組表ボタン８０４と、設定ボタン８０６と、左方向ボタン８０８ａ、右方向ボタン８０８ｂ、上方向ボタン８０８ｃ及び下方向ボタン８０８ｄから構成される方向ボタン８０８と、決定ボタン８２０とを含んで構成されている。なお、本実施形態においては、入力部８０の一例として赤外線を利用したリモコン８００を用いて説明しているが、これに限られるわけではなく、例えば、本体に備えられた操作ボタンや、タッチパネル等のいずれかの方法であっても良い。
【００２２】
［処理の流れ］
（視聴可能時間設定処理）
続いて、デジタルテレビ１の動作について図を用いて説明する。まず、図３は、視聴可能時間設定処理を示す動作フローである。視聴可能時間設定処理は、設定ボタン８０６が押下された際に、実行される処理であり、制御部３０が、記憶部５０に記憶されている視聴可能時間設定プログラム５０２を読み出して実行することにより実現される処理である。
【００２３】
まず、制御部３０は、視聴可能時間設定テーブル５０８に記憶されている視聴可能時間を読み出す（ステップＳ１００）。そして、視聴可能時間設定テーブル５０８に設定されている視聴可能時間を設定画面に表示する（ステップＳ１０２）。ここで、視聴可能時間が複数設定されている場合には、複数表示されることとなり、視聴可能時間が全く設定されていない場合は表示されないこととなる。
【００２４】
続いて、表示画面に、視聴可能時間を設定させるためのカーソルを表示する（ステップＳ１０４；図５のカーソルＣ１００）。ここで、ユーザによりカーソル移動操作がなされると（ステップＳ１０６；Ｙｅｓ）、制御部３０は、移動操作に応じてカーソルを移動させる（ステップＳ１０８）。
【００２５】
ここで、カーソル移動操作とは、例えば方向ボタン８０８が押下されることにより行われる。具体的には、左方向ボタン８０８ａが押下されると、カーソルは所定時間分だけ左方向（早い時間帯）に移動し、現在示している時刻が変化することとなる。
【００２６】
そして、決定ボタン８２０が押下されると（ステップＳ１１０；Ｙｅｓ）、現在カーソルが示している時刻を、視聴可能時間の開始時刻として記憶する（ステップＳ１１２）。さらに、ユーザによりカーソル移動操作がなされると（ステップＳ１１４；Ｙｅｓ）、制御部３０は、移動操作に応じてカーソルを移動させる（ステップＳ１１６）。
【００２７】
そして、決定ボタン８２０が押下されると（ステップＳ１１８：Ｙｅｓ）、現在カーソルが示している時刻を、視聴可能時間の終了時刻として記憶する（ステップＳ１２０）。
【００２８】
ここで、ユーザにより登録完了のボタンが押下されない場合は（ステップＳ１２２；Ｎ）、再度視聴可能時間を設定するために、ステップＳ１０４から処理を繰り返し実行する。また、登録完了のボタンが押下された場合は（ステップＳ１２２；Ｙｅｓ）、設定した視聴可能時間で視聴可能時間設定テーブル５０８を更新して終了する（ステップＳ１２４）。
【００２９】
（番組表表示処理）
つづいて、視聴者により番組表ボタン８０４が押下された際に、実行される番組表表示処理について、図４を用いて説明する。番組表表示処理は、記憶部５０に記憶されている番組表表示プログラム５０４が読み出され、制御部３０が実行することにより実現される処理である。
【００３０】
まず、制御部３０は、記憶部５０からＥＰＧ情報５０６を読み込む（ステップＳ２００）。続いて、記憶部５０の視聴可能時間設定テーブル５０８に、視聴可能時間が設定されているかどうかを判定する（ステップＳ２０２）。ここで、視聴可能時間が設定されている場合には（ステップＳ２０２；Ｙｅｓ）、視聴可能時間に対応して番組表を表示する（ステップＳ２０４）。
【００３１】
具体的には、まず視聴可能時間の開始時刻及び終了時刻を読み出す。そして、読み出された開始時刻及び終了時刻の範囲の電子番組表のデータを切り出し、新たな電子番組表を生成して表示する。また、複数の視聴可能時間が設定されている場合には、現在読み出した視聴可能時間に続く時間を読み出し、同様に電子番組表を生成し、表示する。この際、複数の視聴可能時間の電子番組表を連続する番組表として表示しても良いし、別の電子番組表として生成し、それぞれの電子番組表を切り替えて表示することとしても良い。また、連続して表示する場合は、視聴可能時間毎の区切りを明確にする為の、特別な表示を行っても良い。
【００３２】
他方、ステップＳ２０２において、視聴可能時間が設定されていないと判定された場合には（ステップＳ２０２；Ｎｏ）、現在時刻に対応する電子番組表（ＥＰＧ）を表示する（ステップＳ２０６）。
【００３３】
なお、ステップＳ２０４において表示される電子番組表は、視聴可能時間以外が非表示となり表示される電子番組表であっても、視聴可能時間のみからなる電子番組表を新たに生成し、当該電子番組表が表示されることとしても良いことは勿論である。
【００３４】
電子番組表が表示されると、視聴者は、視聴・録画予約、これから放送される番組の確認、裏番組の確認、録画予約等のそれぞれの動作・処理を行うこととなる。
【００３５】
[動作例]
続いて、図を用いてデジタルテレビ１の動作について説明する。まず、図５は、視聴可能時間設定登録処理（図３）が実行されている場合に表示される表示画面Ｗ１００の一例を示した図である。
【００３６】
表示画面Ｗ１００にはタイムラインＴ１００が表示されており、０時〜２４時までが表されている。そして、タイムラインＴ１００上にカーソルＣ１００が表示されており（図３のステップＳ１０４）、左方向ボタン８０８ａ又は右方向ボタン８０８ｂが押下されることにより、押下された方向ボタン８０８に連動してカーソルＣ１００が左右に移動する（図３のステップ１０８）。
【００３７】
また、表示画面には、カーソルＣ１００の位置に対応する時刻Ｃ１０４が表示されている。視聴者は時刻Ｃ１０４を確認することにより、現在カーソルが示している時刻を容易に把握できることができる。
【００３８】
ここで、決定ボタン８２０が押下されると（図３のステップ１１０；Ｙｅｓ）、現在カーソルの示している時刻が、視聴可能時間の開始時刻として設定される。
【００３９】
また、タイムラインＴ１００上には、視聴可能時間Ｃ１０２が識別表示されている。ここでは、一例として視聴可能時間「６：００〜７：３０」が設定されており、当該時間に対応する部分が識別表示されている。
【００４０】
また、図６は、番組表表示処理（図４）が実行されることにより、電子番組表が表示された表示画面Ｗ２００の一例を示す図である。
【００４１】
表示画面Ｗ２００には、タイムラインＴ２００と、電子番組表Ｅ２００とが表示されている。ここで、タイムラインＴ２００上には、視聴可能時間Ｃ２００（６：００〜７：３０）と、視聴可能時間Ｃ２０２（２０：００〜２４：００）とが識別表示されている。
【００４２】
また、電子番組表Ｅ２００には、チャンネル名Ｒ２００と、視聴可能時間Ｃ２００に対応する番組が領域Ｒ２０２に、視聴可能時間Ｃ２０２に対応する番組が領域Ｒ２０４に表示されている。また、視聴可能時間Ｃ２００と、視聴可能時間Ｃ２０２との領域を仕切るために識別表示Ｒ２０６がされている。
【００４３】
このように、本実施形態によれば、電子番組表を表示する場合に、視聴者が設定した視聴可能時間の情報のみを表示させることにより、視聴予約や録画予約等の各種動作を適切に行うことが出来るようになる。
【００４４】
［変形例］
上述した実施形態では、テレビ受像機の一例としてデジタルテレビを例として説明したが、これに限られず、例えば携帯電話や、カーナビゲーション、ハードディスクレコーダ、ＣＡＴＶチューナ装置、デジタル放送受信装置等の同様の機能を有する装置においても適用可能なことは勿論である。
【００４５】
また、視聴可能時間については、更に視聴者の要望により、細かく設定出来ることとしても良い。具体的には、曜日と対応づけて記憶させることにより、曜日毎に視聴可能時間が設定可能となる。この場合、例えば平日と休日とは異なる視聴可能時間を設定することにより、より視聴者の要望に適した電子番組表を表示することができる。
【００４６】
また、視聴可能時間にかかる電子番組表が表示された段階から、所定の操作をすることにより、全時間帯が表示される通常の電子番組表に切り替え表示することが出来ることとしても良い。
【図面の簡単な説明】
【００４７】
【図１】デジタルテレビ１の構成について示した図。
【図２】入力部の一例としてリモコンの概観を説明するための図。
【図３】視聴可能時間設定処理についての動作フローを示した図。
【図４】番組表表示処理についての動作フローを示した図。
【図５】視聴可能時間設定処理が実行された場合における画面表示の一例を示した図。
【図６】番組表表示処理が実行された場合における画面表示の一例を示した図。
【符号の説明】
【００４８】
１  デジタルテレビ
１０  チューナ部
２０  デコーダ部
３０  制御部
４０  ＥＰＧ処理部
５０  記憶部
５０２  視聴可能時間設定プログラム
５０４  番組表表示プログラム
５０６  ＥＰＧ情報
５０８  視聴可能時間設定テーブル
６０  映像信号処理部
７０  音声信号処理部
８０  入力部
【図１】
2008017173.tif 000003
【図２】
2008017173.tif 000004
【図３】
2008017173.tif 000005
【図４】
2008017173.tif 000006
【図５】
2008017173.tif 000007
【図６】
2008017173.tif 000008